(57)【要約】【課題】  面倒な手作業を要することなく、本体内の塵埃を自動的にしかも確実に取り除くことができる商品販売処理装置を提供する。【解決手段】  ＰＯＳターミナル１の本体内に集塵器４０を設け、本体内の塵埃を集塵器４０に取込む。【選択図】      図１
2009163685.tif 000002
【特許請求の範囲】
【請求項１】
本体内に設けられた集塵器と、
本体に着脱自在に設けられ、前記集塵器で集められた塵埃を収容する容器と、
を備えることを特徴とする商品販売処理装置。
【請求項２】
本体内の空気を排出する排気ファン、をさらに備えることを特徴とする請求項１に記載の商品販売処理装置。
【請求項３】
前記集塵器は、前記排気ファンの近傍に設けられていることを特徴とする請求項２に記載の商品販売処理装置。
【発明の詳細な説明】
【技術分野】
【０００１】
この発明は、商品の販売に使用されるＰＯＳターミナルなどの商品販売処理装置に関する。
【背景技術】
【０００２】
商品の販売に使用される商品販売処理装置たとえばＰＯＳ（Point Of Sales）ターミナルは、ＩＣやマイクロコンピュータが搭載された制御ユニットを備えている。この制御ユニットは、処理能力の向上および高速化に伴い、発熱量が増加する傾向にある。この発熱量の増加に対する処置として、制御ユニットにヒートシンクが取付けられる（例えば特許文献１）。
【０００３】
さらに、発熱対策として、ＰＯＳターミナルの本体に通気口が形成され、その通気口に排気ファンが設けられる。この排気ファンの動作により、本体内の熱気が排出される。
【特許文献１】特開２００１―２８４８６５号公報
【発明の開示】
【発明が解決しようとする課題】
【０００４】
ＰＯＳターミナルの本体を開けると、本体の内壁や制御回路基板に多くの塵埃が付着している。この塵埃は制御回路基板における電気部品の動作に悪影響を及ぼすことがあり、定期的または必要に応じて取り除くことが望ましい。
【０００５】
しかしながら、塵埃は電気部品の細かいところまで入り込むため、それを手作業で取り除く作業には手間と時間がかかり、大変に面倒である。
【０００６】
この発明は、上記の事情を考慮したもので、その目的は、面倒な手作業を要することなく、本体内の塵埃を自動的にしかも確実に取り除くことができる商品販売処理装置を提供することにある。
【課題を解決するための手段】
【０００７】
請求項１に係る発明の商品販売処理装置は、本体内に設けられた集塵器と、本体に着脱自在に設けられ、前記集塵器で集められた塵埃を収容する容器と、を備える。
【発明の効果】
【０００８】
この発明の商品販売処理装置によれば、面倒な手作業を要することなく、本体内の塵埃を自動的にしかも確実に取り除くことができる。これにより、塵埃による電気部品の誤動作等を防ぐことができる。
【発明を実施するための最良の形態】
【０００９】
［１］第１の実施形態  
以下、この発明の第１の実施形態について図面を参照して説明する。図１は、商品販売処理装置たとえばＰＯＳターミナルの外観図である。
【００１０】
ＰＯＳターミナル１は、現金等を収容するための引出し２ａを有するドロワ２、およびこのドロワ２の上に設けられた本体からなり、店舗の例えばレジカウンタに設置される。本体には、上面前方側にキーボード３、モードスイッチ４、カードリーダ５、およびオペレータ表示器（カラー液晶表示器）６が設けられ、背面側に客面表示器（カラー液晶表示器）７が設けられている。また、本体には、ジャーナルを電子媒体に保存する電子ジャーナル８、およびレシート及びジャーナルをプリントするプリンタ９などが設けられている。
【００１１】
さらに、本体から商品情報入力手段としてバーコードスキャナ１１が導出されている。このバーコードスキャナ１１は、商品に付されている情報、すなわち商品のラベル等に印刷されているバーコードを光学的に読取る。上記キーボード３は、預かり金額などを置数するための置数キー、１取引として販売登録された商品の合計出力を指示する小計キー、１取引の代金を現金決済することを宣言して当該取引の締めを指示する預／現計キー、置数データのクリアを指示するクリアキー等を備えている。
【００１２】
上記モードスイッチ４は、「登録」「点検」「精算」「設定」「停止」のいずれかを選択するためのスイッチで、専用の鍵で操作される。上記カードリーダ５は、非現金決済に用いるカードが挿入されてスライド操作されることにより、そのカードに記録されているデータを読取る。上記オペレータ表示器６は、商品登録手段により販売登録された商品の品名，価格や、商品販売登録の終了が宣言され登録締め手段により１取引の合計金額、預かり金額、釣り銭額などを表示する。上記客面表示器７は、カラー写真やカラー動画によるコマーシャル情報、たとえば『いらっしゃいませ』などの顧客案内情報、取引明細（商品名、単価、個数）、取引結果（合計金額，預かり金額、釣り銭額）等を表示する。
【００１３】
このようなＰＯＳターミナル１の本体内の要部の構成を図２に示す。  
本体内に制御回路基板（マザーボードともいう）２０および電源ユニット３０が収容されている。制御回路基板２０にはＩＣやＬＳＩなどの制御ユニット２１が搭載され、その制御ユニット２１の上面にヒートシンク２２が取付けられている。ヒートシンク２２は、制御ユニット２１の上面と接する側に、互いに間隔を空けて配列された多数枚の放熱フィンを有するもので、制御ユニット２１の熱を効率よく放散する。電源ユニット３０は、ＰＯＳターミナル１の動作用電圧を出力する。
【００１４】
また、本体の背面部に通気口１ａ，１ｂが形成され、その通気口１ａ，１ｂの内側に排気ファン２３，２４がそれぞれ設けられている。排気ファン２３，２４が動作すると、制御ユニット２１およびヒートシンク２２の放熱による本体内の熱気が通気口１ａ，１ｂを通して本体外に排出される。
【００１５】
そして、本体内の排気ファン２３，２４の近傍、つまり本体内に生じる空気流の下流側となる箇所に、プラズマやイオンの発生により塵埃を集める集塵器４０が設けられている。この集塵器４０で集められた塵埃は、図３に示すように、集塵器４０の下方に設けられた容器４１に収容される。容器４１は、図１に示すように、本体の側面部に面一状態で露出しており、把手４１ａを持って出し入れすることができる。
【００１６】
一方、上記電源ユニット３０は、図４に示すように、商用交流電源５０に接続されたトランス３１、このトランス３１の二次側に接続された整流回路３２、この整流回路３２の出力端に後述する集塵器制御リレー６５の接点６５ａを介して接続されたバッテリ３３を有し、制御回路基板２０上の制御回路に対する動作用電圧を出力するとともに、その動作用電圧を接点６５ａを介してバッテリ３３に印加しつつ集塵器４０に供給する。バッテリ３３は、接点６５ａの開閉に基づく充放電が自在で、接点６５ａの閉成時に充電された電圧を接点６５ａの開放時に放電する。この放電電圧が集塵器４０の動作用電圧となる。
【００１７】
制御回路基板２０の制御回路を図５に示す。  
ＣＰＵ（Central Processing Unit）５１、チップセット５２、およびマイクロコンピュータ５３により、上記制御ユニット２１が構成される。この制御ユニット２１に、ハードディスクドライブ（ＨＤＤ）６１、ファームウェアメモリ６２、バックアップ用メモリ６３、上記キーボード３、Ｉ／Ｏ（Input／Output）ポート６４、上記カードリーダ５、上記オペレータ表示器６、上記客面表示器７、上記電子ジャーナル８、上記プリンタ９、上記排気ファン２３，２４、集塵器制御リレー６５、バーコードスキャナ１１が接続されている。
【００１８】
上記ハードディスクドライブ６１には、制御ユニット２１の処理に必要なオペレーティングシステム（ＯＳ）およびアプリケーションプログラムが格納されている。ファームウェアメモリ６２には、制御ユニット２１の少なくとも商品登録の受付け処理に必要な最小限のファームウェアが格納されている。バックアップ用メモリ６３には、レジューム処理中に制御ユニット２１が受付けた商品登録のデータが記憶される。Ｉ／Ｏポート６４には、上記ドロワ２を開放させるためのドロワ開放装置２ｂが接続されている。
【００１９】
そして、制御ユニット２１は、集塵器４０の動作に関わる主要な機能として、次の（１）（２）の手段を有する。  
（１）モードスイッチ４で「登録」が設定されると、本体を稼働して商品の販売に関わる種々の処理を実行するとともに、集塵器制御リレー６５を付勢する制御手段。  
（２）モードスイッチ４で「停止」が設定されると、本体の稼働を停止するとともに、集塵器制御リレー６５を消勢する制御手段。
【００２０】
つぎに、作用について説明する。  
モードスイッチ４で「登録」が設定されると、本体が稼働して制御ユニット２１および排気ファン２３，２４を含む各機器が動作するとともに、集塵器制御リレー６５が付勢される。この排気ファン２３，２４の動作により、制御ユニット２１およびヒートシンク２２の放熱を含む本体内の熱気が通気口１ａ，１ｂを通して本体外に排出される。また、集塵器制御リレー６５の付勢により、接点６５ａが閉成し、電源ユニット３０から集塵器４０に動作用電圧が供給される。こうして、集塵器４０が動作し、本体内の塵埃が集塵器４０に取込まれる。取込まれた塵埃は、集塵器４０の下方の容器４１に収容される。
【００２１】
なお、接点６５ａの閉成に伴い、バッテリ３３が充電される。
【００２２】
モードスイッチ４で「停止」が設定されると、制御ユニット２１および排気ファン２３，２４を含む各機器の動作が停止するとともに、集塵器制御リレー６５が消勢される。この消勢により、接点６５ａが開放してバッテリ３３が放電を開始する。この放電電圧により、集塵器４０の動作が継続する。
【００２３】
使用者または保守員は、容器４１の把手４１ａを掴んで引っ張ることにより、容器４１を本体から引き出すことができる。引き出した容器４１に塵埃が溜まっていれば、容器４１をひっくり返して溜まった塵埃を除去することができる。この除去後、容器４１は本体に挿入されて元の位置に戻される。
【００２４】
このように、本体内に集塵器４０を設けることにより、面倒な手作業を要することなく、本体内の塵埃を自動的に取り除くことができる。したがって、塵埃による電気部品の誤動作等を防ぐことができる。とくに、集塵器４０の配設位置が、本体内の排気ファン２３，２４の近傍、つまり本体内に生じる空気流の下流側となる箇所であることにより、本体内の塵埃を効率よく確実に取込むことができる。
【００２５】
しかも、稼働時にバッテリ３３を充電しておき、非稼働時にその充電電圧を用いて集塵器４０の動作を継続するので、商用交流電源５０の電力消費を抑えながら、集塵器４０をできるだけ長い時間にわたり動作させることができ、省エネルギー効果が得られる。
【００２６】
［２］第２の実施形態  
この発明の第２の実施形態について説明する。第２の実施形態では、モードスイッチ４の選択ポジションとして、「登録」「点検」「精算」「設定」「停止」のほかに、集塵器４０用の「集塵」が用意されている。これに伴い、制御ユニット２１は、集塵器４０の動作に関わる主要な機能として、次の（１１）（１２）の手段を有する。  
（１１）モードスイッチ４で「集塵」が設定されると、集塵器制御リレー６５を付勢する制御手段。  
（１２）モードスイッチ４で「停止」が設定されたとき、集塵器制御リレー６５が付勢されていれば、その集塵器制御リレー６５を消勢する制御手段。
【００２７】
作用を説明する。  
モードスイッチ４で「登録」が設定されると、本体が稼働して制御ユニット２１および排気ファン２３，２４を含む各機器が動作する。この排気ファン２３，２４の動作により、制御ユニット２１およびヒートシンク２２の放熱を含む本体内の熱気が通気口１ａ，１ｂを通して本体外に排出される。モードスイッチ４で「停止」が設定されると、制御ユニット２１および排気ファン２３，２４を含む各機器の動作が停止する。
【００２８】
一方、モードスイッチ４で「集塵」が設定されると、集塵器制御リレー６５が付勢される。この付勢により、接点６５ａが閉成して電源ユニット３０から集塵器４０に動作用電圧が供給され、集塵器４０が動作する。これにより、本体内の塵埃が集塵器４０に取込まれる。この時、商品の販売に関わる種々の処理は実行されない。取込まれた塵埃は、集塵器４０の下方の容器４１に収容される。なお、接点６５ａの閉成に伴い、バッテリ３３が充電される。
【００２９】
こうして、集塵器４０が動作しているとき、モードスイッチ４で「停止」が設定されると、集塵器制御リレー６５が消勢される。この消勢により、接点６５ａが開放してバッテリ３３が放電を開始する。この放電電圧により、集塵器４０の動作が継続する。
【００３０】
このように、モードスイッチ４の選択ポジションとして「集塵」を加え、その「集塵」への設定に応じて集塵器４０を単独で動作させる構成としたことにより、集塵が必要なときだけ集塵器４０を動作させることができる。
【００３１】
また、モードスイッチ４で「集塵」が設定されると、集塵器４０が動作していることをオペレータ表示器６で文字表示またはパターン表示するようにしてもよい。
【００３２】
他の構成、作用、効果は第１の実施形態と同じである。よって、その説明は省略する。
【００３３】
［３］変形例  
上記各実施形態において、本体からの容器４１の引き出しおよび本体への容器４０の挿入をセンサで検知し、引き出し検知時に集塵器４０の動作を中断し、挿入検知時に集塵器４０の動作を再開する構成を加えてもよい。さらに、上記各実施形態では、商品販売処理装置としてＰＯＳターミナルを例に説明したが、電子レジスタなど他の機器にも同様に実施可能である。その他、この発明は上記実施形態に限定されるものではなく、要旨を変えない範囲で種々変形実施可能である。
【図面の簡単な説明】
【００３４】
【図１】各実施形態の外観を示す斜視図。
【図２】各実施形態における本体内の要部の構成を断面して示す図。
【図３】各実施形態における集塵器および容器の構成を示す図。
【図４】各実施形態における電源ユニットを示すブロック図。
【図５】各実施形態の制御回路を示すブロック図。
【符号の説明】
【００３５】
１…ＰＯＳターミナル、３…キーボード、６…オペレータ表示器、７…客面表示器、２３，２４…排気ファン、２０…制御回路基板、２１…制御ユニット、２２…ヒートシンク、２３，２４…排気ファン、３０…電源ユニット、３３…バッテリ、４０…集塵器、４１…容器、５１…ＣＰＵ、５２…チップセット、５３…マイクロコンピュータ、６５…集塵器制御リレー、６５ａ…接点
【図１】
2009163685.tif 000003
【図２】
2009163685.tif 000004
【図３】
2009163685.tif 000005
【図４】
2009163685.tif 000006
【図５】
2009163685.tif 000007